(57)【要約】【課題】  洗濯や庭仕事などで生ゴミ処理機に近付いた際、臭気を感じることを少なくした生ゴミ処理機を提供する。【解決手段】  ケーシング１の内部に、生ゴミを処理するための処理槽１０を設け、処理槽１０内部に処理基材９を充填し、処理槽１０の内部に生ゴミ及び処理基材９を攪拌・混合するための攪拌手段２を設け、処理槽１０内部で発生する臭気を処理槽１０から外部へ排出する排気手段３を設けた生ゴミ処理機において、ケーシング１に人体検知手段４を設け、人が近づくと人体検知手段４により検知した信号に基づき、排気手段３を停止又は排気手段の排気量を低下させるようにした。【選択図】図１
2005046708.tif 000002
【特許請求の範囲】
【請求項１】
ケーシングの内部に、生ゴミを処理するための処理槽を設け、処理槽内部に処理基材を充填し、処理槽の内部に生ゴミ及び処理基材を攪拌・混合するための攪拌手段を設け、処理槽内部で発生する臭気を処理槽から外部へ排出する排気手段を設けた生ゴミ処理機において、ケーシングに人体検知手段を設け、人が近づくと人体検知手段により検知した信号に基づき、排気手段を停止又は排気手段の排気量を低下させるようにしたことを特徴とする生ゴミ処理機。
【請求項２】
排気手段を停止又は排気手段の排気量を低下した後、所定時間経過後、排気手段を通常運転に戻すようにしたことを特徴とする請求項１記載の生ゴミ処理機。
【請求項３】
人体検知手段をケーシングの上端部近傍に配置ことを特徴とする請求項１又は２記載の生ゴミ処理機。
【発明の詳細な説明】
【技術分野】
【０００１】
本発明は、生ゴミ処理機に関するものである。
【背景技術】
【０００２】
従来より、多くの生ゴミ処理機が実用化されている。特に攪拌、加熱などを自動的に行い、生ゴミの分解速度と利便性を高めた生ゴミ処理機が広く使用されている。このような生ゴミ処理機は、有機物分解時に発生する水分の排出と微生物に必要な酸素供給のために処理運転時の給排気が必要であり、このような処理槽からの排気にはある程度の臭気を含んでいるため、脱臭器を通過させてから排気を行っている。（例えば、特許文献１参照）
しかしながら、脱臭器を通過させた後に排気される臭気レベルは投入した生ゴミの質や量、処理の状態などに影響を受ける。例えば大量の生ゴミ投入時や成分の偏った生ゴミの投入時など処理状況によっては、装置に近付いた時に不快臭を感じる場合もあるという問題があった。
【特許文献１】特開２００２−１２６７３９号公報
【発明の開示】
【発明が解決しようとする課題】
【０００３】
本願発明は、上記従背景技術に鑑みて発明されたものであり、その課題は、洗濯や庭仕事などで生ゴミ処理機に近付いた際、臭気を感じることを少なくした生ゴミ処理機を提供することを目的とするものである。
【課題を解決するための手段】
【０００４】
上記課題を解決するために、本願発明は、ケーシングの内部に、生ゴミを処理するための処理槽を設け、処理槽内部に処理基材を充填し、処理槽の内部に生ゴミ及び処理基材を攪拌・混合するための攪拌手段を設け、処理槽内部で発生する臭気を処理槽から外部へ排出する排気手段を設けた生ゴミ処理機において、ケーシングの外面側に人体検知手段を設け、人が近づくと人体検知手段により検知した信号に基づき、排気手段を停止又は排気手段の排気量を低下させるようにしたものである。
【発明の効果】
【０００５】
本願発明の生ゴミ処理機においては、人が近付くと生ゴミ処理機からの排気を停止又は排気量を低下させることで、人が生ゴミ処理機に近付いた際、臭気を感じることを少なくすることができる。
【発明を実施するための最良の形態】
【０００６】
図１は、本願の請求項１〜３全てに対応した一実施形態である生ゴミ処理機を示している。この実施形態の生ゴミ処理機は、図１に示す如く、ケーシング１の内部に、生ゴミを処理するための処理槽１０を設け、処理槽１０内部に処理基材９を充填し、処理槽１０の内部に生ゴミ及び処理基材９を攪拌・混合するための攪拌手段２を設け、処理槽１０内部で発生する臭気を処理槽１０から外部へ排出する排気手段３を設けた生ゴミ処理機において、ケーシング１の上端部近傍に人体検知手段４を設け、人が近づくと人体検知手段４により検知した信号に基づき、排気手段３を停止又は排気手段３の排気量を低下させた後、所定時間経過後、排気手段３を通常運転に戻すようにしている。
【０００７】
以下、この実施形態の生ゴミ処理機を、より具体的詳細に説明する。この実施形態の生ゴミ処理機は、図１に当該発明を微生物分解方式の生ゴミ処理機に適用した場合の概略断面図を示す。処理槽１０には木質チップなどの処理基材９が充填されてあり、この処理基材９と生ゴミを混合する攪拌手段２が設けてある。攪拌手段２は、モータ２ｂとモータ２bより駆動される攪拌羽根２ａを備えている。さらに、処理基材９への加熱手段７と排気手段３、処理基材９の水分検知手段８がある。この水分検知手段８により、処理基材９の水分は、検知される値を基に加熱手段７を制御することで、水分１５〜５０％（好ましくは２０〜４０％）の範囲内で維持されている。
【０００８】
微生物方式では有機物分解時に発生する水分の排出と微生物に必要な酸素供給のために処理運転時の給排気が必要となるため、吸気口５と排気口６を設け、排気口６の近傍に排気手段３を設けている。ここで微生物方式では約１日程度の時間をかけて分解処理を行うので、通常は排気手段３を常時運転することで対応している。
【０００９】
しかしながら、このような処理槽１０からの排気は当然ながらある程度の臭気を含んでおり、脱臭処理を実施したとしても、その臭気レベルは投入した生ゴミの質や量、処理の状態などに影響を受け、処理状態によっては生ゴミ処理機に近付いた時に不快臭を感じる場合もある。そこで図１に示すように生ゴミ処理機に人体検知手段４を設け、人が生ゴミ投入時のみならず、洗濯や庭仕事などで生ゴミ処理機に近付いた際、排気手段３を停止又は排気手段３の排気量を低下することで、生ゴミ処理機からの排気臭を感じる機会を低減することができる。なお、人体検知手段４は、人がどの方向からでも近づいたことを検知できるようにするために四方に設けていた方が好ましい。
【００１０】
ただし、処理槽１０からの排気を長時間に渡り停止、排気量低下することは、生ゴミ処理効率を阻害することになり好ましくはない。そこで、排気手段３停止又は排気量低下動作を一定の時間範囲に制限する（例：１時間以上連続して検知すれば、通常運転に復帰する）ことで、例えば人体検知手段４の検知範囲に何か物が置かれたなどが原因で誤検知した場合であっても、時間が経過すれば通常運転に戻るので、生ゴミ処理効率を阻害することが少なくなる。
【００１１】
さらには、人体検知手段４を地上から一定の高さ以上、すなわちケーシング１の上端部近傍の外側面に設けること（例えば地上より２０ｃｍ以上の位置）で、猫などの小動物や比較的小さな鉢植えが生ゴミ処理機周辺に存在したとしても、人の接近として誤検知することを低減できる。
【００１２】
また、微生物分解方式の生ゴミ処理機において通性嫌気性菌（例えば乳酸菌など）を主として利用すれば、通性嫌気性菌は、酸素を要求することなく、かつ悪臭の発生も抑制しながら生ゴミの処理を行うことができるため、このような通性嫌気性菌を主体とする生ゴミ処理機では好気分解を主体とする方法よりも給排気の停止時間を長くとることが可能となり、生ゴミ処理機の近くで洗濯物干しや庭仕事を長時間しても臭気を感じることが少なくり、臭気対策としての効果をより一層高めることができる。
【図面の簡単な説明】
【００１３】
【図１】本願発明の一実施形態である生ゴミ処理機を示す概略断面図である。
【符号の説明】
【００１４】
１  ケーシング
２  攪拌手段
３  排気手段
４  人体検知手段
５  吸気口
６  排気口
７  加熱手段
８  水分検知手段
９  処理基材
10  処理槽
【図１】
2005046708.tif 000003